【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
光を生成する第一セット及び第二セットのスペクトルエミッタを含むバックライトと、
前記光を変調する光変調パネルと
を含み、
前記第一セットのスペクトルエミッタは、
長帯域スペクトルエミッタの対（Ｒ１、Ｒ２）から選択される第一スペクトルエミッタと、
中帯域スペクトルエミッタの対（Ｇ１、Ｇ２）から選択される第二スペクトルエミッタと、
短帯域スペクトルエミッタの対（Ｂ１、Ｂ２）から選択される第三スペクトルエミッタと
を含み、
前記第二セットのスペクトルエミッタは、前記第一セットのスペクトルエミッタとして選択されたスペクトルエミッタに補完的に選択されるスペクトルエミッタを含む第四スペクトルエミッタ、第五スペクトルエミッタ、及び第六スペクトルエミッタを含む、
直視型ディスプレイ。
【請求項２】
Ｒ１はＲ２よりも長波長において発光ピークを有し、Ｇ１はＧ２よりも長波長において発光ピークを有し、Ｂ１はＢ２よりも長波長において発光ピークを有する、
請求項１に記載の直視型ディスプレイ。
【請求項３】
前記第一セット及び前記第二セットのスペクトルエミッタの組み合わせは：Ｒ１、Ｇ１、Ｂ１とＲ２、Ｇ２、Ｂ２；Ｒ１、Ｇ２、Ｂ１とＲ２、Ｇ１、Ｂ２；Ｒ１、Ｇ１、Ｂ２とＲ２、Ｇ２、Ｂ１；及びＲ１、Ｇ２、Ｂ２とＲ２、Ｇ１、Ｂ１のうちの一つである、
請求項２に記載の直視型ディスプレイ。
【請求項４】
前記スペクトルエミッタのそれぞれは、一の透過範囲において出力し、前記第一セットのスペクトルエミッタの透過範囲は、前記第二セットのスペクトルエミッタの透過範囲とスペクトルにおいて実質的に重ならない、
請求項１に記載の直視型ディスプレイ。
【請求項５】
前記直視型ディスプレイは、少なくとも一つのカラーフィルタを通した前記第一セット及び前記第二セットのスペクトルエミッタからの発光を含む透過範囲を出力し、前記第一セットの透過範囲は、前記第二セットの透過範囲とスペクトルにおいて実質的に重ならない、
請求項１に記載の直視型ディスプレイ。
【請求項６】
前記Ｒ１及び前記Ｒ２の透過範囲は、人間の目におけるＬ錐体受容体が反応する波長範囲に実質的に存在し、前記Ｇ１及び前記Ｇ２の透過範囲は、前記人間の目におけるＭ錐体受容体が反応する波長範囲に実質的に存在し、前記Ｂ１及び前記Ｂ２の透過範囲は、前記人間の目におけるＳ錐体受容体が反応する波長範囲に実質的に存在する、
請求項４に記載の直視型ディスプレイ。
【請求項７】
前記直視型ディスプレイは、強化表示モードを有し、前記第一セット及び前記第二セットのスペクトルエミッタは、ともに同時に照明を供給する、
請求項１に記載の直視型ディスプレイ。
【請求項８】
前記第一セットのスペクトルエミッタが、ＥＢＵ色域図における第一ＲＧＢ三角形により定義される第一光束を供給し、前記第二セットのスペクトルエミッタが、前記ＥＢＵ色域図における前記第一ＲＧＢ三角形の外部の色を含む第二ＲＧＢ三角形により定義される第二光束を供給することにより、前記強化表示モードは、一の光束により生成されるよりは広い色域を提供する、
請求項７に記載の直視型ディスプレイ。
【請求項９】
前記広い色域を提供するよう、前記スペクトルエミッタの光出力を選択的に制御する、
請求項８に記載の直視型ディスプレイ。
【請求項１０】
前記選択的な制御は、光検出フィードバック回路、温度フィードバック回路、及び画像内容特性に応答する動的表示制御回路のうち少なくとも一つによる、
請求項９に記載の直視型ディスプレイ。
【請求項１１】
前記直視型ディスプレイは、マルチ画像モードを有し、前記第一セット及び前記第二セットのスペクトルエミッタは、それぞれ第一画像及び第二画像に時間的に交互に照明を供給し、前記第一セットのスペクトルエミッタは、前記第一画像を照明する第一光束を供給し、前記第二セットのスペクトルエミッタは、前記第二画像を照明する第二光束を供給する、
請求項１に記載の直視型ディスプレイ。
【請求項１２】
前記第一光束を透過させる通過帯域特性を有する第一フィルタにより前記第一画像は観察され、前記第二光束を透過させる通過帯域特性を有する第二フィルタにより前記第二画像は観察される、
請求項１１に記載の直視型ディスプレイ。
【請求項１３】
第一フィルタ及び第二フィルタのそれぞれは、複屈折ポリマーフィルムの位相差板スタックを含む、
請求項１２に記載の直視型ディスプレイ。
【請求項１４】
前記直視型ディスプレイは、前記光変調パネルに続く光路上に位置する出射側偏光子を更に含み、前記出射側偏光子は偏光軸を有し、前記第一フィルタは、前記偏光軸に実質的に平行に配向した第一偏光軸を有する第一偏光子を更に含み、前記第二フィルタは、前記偏光軸に実質的に直交に配向した第二偏光軸を有する第二偏光子を更に含む、
請求項１３に記載の直視型ディスプレイ。
【請求項１５】
前記第一フィルタの位相差板スタックは、前記第二フィルタの位相差スタックと実質的に同一の位相差を有する、
請求項１３に記載の直視型ディスプレイ。
【請求項１６】
三次元表示を観察するためのアイウェアを更に含み、前記アイウェアは、一方の目に対して前記第一フィルタを含み、他方の目に対して前記第二フィルタを含み、かつ二つの個別の半画像を形成するべく前記第一光束及び前記第二光束を分離する、
請求項１２に記載の直視型ディスプレイ。
【請求項１７】
出力された前記第一画像及び前記第二画像の一方を観察するためのアイウェアを更に含み、前記アイウェアは、同一の通過帯域特性を有する二つのフィルタを含む、
請求項１２に記載の直視型ディスプレイ。
【請求項１８】
前記第一セット及び前記第二セットのスペクトルエミッタは、発光ダイオード、スーパーレゾナント発光ダイオード、及びレーザからなる群から選択される、
請求項１に記載の直視型ディスプレイ。
【請求項１９】
光を生成する第一セット及び第二セットのスペクトルエミッタを含み、
前記第一セットのスペクトルエミッタは、
長帯域スペクトルエミッタの対（Ｒ１、Ｒ２）から選択される第一スペクトルエミッタと、
中帯域スペクトルエミッタの対（Ｇ１、Ｇ２）から選択される第二スペクトルエミッタと、
短帯域スペクトルエミッタの対（Ｂ１、Ｂ２）から選択される第三スペクトルエミッタと
を含み、
前記第二セットのスペクトルエミッタは、前記第一セットのスペクトルエミッタとして選択されたスペクトルエミッタに補完的に選択されるスペクトルエミッタを含む第四スペクトルエミッタ、第五スペクトルエミッタ、及び第六スペクトルエミッタを含み、
前記Ｒ１及び前記Ｒ２の透過範囲は、人間の目におけるＬ錐体受容体が反応する波長範囲に実質的に存在し、前記Ｇ１及び前記Ｇ２の透過範囲は、前記人間の目におけるＭ錐体受容体が反応する波長範囲に実質的に存在し、前記Ｂ１及び前記Ｂ２の透過範囲は、前記人間の目におけるＳ錐体受容体が反応する波長範囲に実質的に存在する、
バックライト。
【請求項２０】
直視型ディスプレイ上に画像を表示するべく、
直視型ディスプレイ用バックライトから、第一セットのスペクトルエミッタを用いて第一光束を生成することと、
前記直視型ディスプレイ用バックライトから、第二セットのスペクトルエミッタを用いて第二光束を生成することと
を含み、
前記第一セットのスペクトルエミッタは、
長帯域スペクトルエミッタの対（Ｒ１、Ｒ２）から選択される第一スペクトルエミッタと、
中帯域スペクトルエミッタの対（Ｇ１、Ｇ２）から選択される第二スペクトルエミッタと、
短帯域スペクトルエミッタの対（Ｂ１、Ｂ２）から選択される第三スペクトルエミッタと
を含み、
前記第二セットのスペクトルエミッタは、前記第一セットのスペクトルエミッタとして選択されたスペクトルエミッタに補完的に選択されるスペクトルエミッタを含む第四スペクトルエミッタ、第五スペクトルエミッタ、及び第六スペクトルエミッタを含む、
方法。
【請求項２１】
第一セット及び第二セットのスペクトルエミッタを有するバックライトと、光変調パネルとを含む直視型ディスプレイ上に２重画像表現を表示するべく、
前記光変調パネルの一部に対する照明供給を前記第一セットのスペクトルエミッタと前記第二セットのスペクトルエミッタとの間で時間的に交互させることを含み、
前記第一セットのスペクトルエミッタは、前記第二セットのスペクトルエミッタが前記光変調パネルの前記一部を照明しているとき、前記一部に照明を供給せず、
前記第二セットのスペクトルエミッタは、前記第一セットのスペクトルエミッタが前記光変調パネルの前記一部を照明しているとき、前記一部に照明を供給しない、
方法。
【請求項２２】
複数の照明領域を有する直視型ディスプレイであって、前記複数の照明領域のうち二以上をそれぞれが照明する第一セット及び第二セットのスペクトルエミッタを有するバックライトと、前記バックライトと観察位置との間に位置する光変調パネルとを含む直視型ディスプレイに画像を表示するべく、
光変調パネルの第一領域に対応する第一照明領域における第一セット及び第二セットのスペクトルエミッタを非アクティブにする段階と、
前記光変調パネルの前記第一領域における少なくとも一つの画素にアドレスする段階と、
第一セット及び第二セットの少なくとも一方のセットのスペクトルエミッタの前記第一照明領域における照明をアクティブにする段階と、
光変調パネルの第二領域に対応する第二照明領域における第一セット及び第二セットのスペクトルエミッタを非アクティブにする段階と、
前記変調パネルの前記第二領域における少なくとも一つの画素にアドレスする段階と、
第一セット及び第二セットの少なくとも一方のセットのスペクトルエミッタの前記第二照明領域における照明をアクティブにする段階と
を含む方法。
【請求項２３】
前記第一セットのスペクトルエミッタは、
長帯域スペクトルエミッタの対（Ｒ１、Ｒ２）から選択される第一スペクトルエミッタと、
中帯域スペクトルエミッタの対（Ｇ１、Ｇ２）から選択される第二スペクトルエミッタと、
短帯域スペクトルエミッタの対（Ｂ１、Ｂ２）から選択される第三スペクトルエミッタと
を含み、
前記第二セットのスペクトルエミッタは、前記第一セットのスペクトルエミッタとして選択されたスペクトルエミッタに補完的に選択されるスペクトルエミッタを含む第四スペクトルエミッタ、第五スペクトルエミッタ、及び第六スペクトルエミッタを含む、
請求項２１または２２に記載の方法。
【請求項２４】
前記Ｒ１及び前記Ｒ２の透過範囲は、人間の目におけるＬ錐体受容体が反応する波長範囲に実質的に存在し、前記Ｇ１及び前記Ｇ２の透過範囲は、前記人間の目におけるＭ錐体受容体が反応する波長範囲に実質的に存在し、前記Ｂ１及び前記Ｂ２の透過範囲は、前記人間の目におけるＳ錐体受容体が反応する波長範囲に実質的に存在する、
請求項２０または２３に記載の方法。
【請求項２５】
実質的に互いから分離されたスペクトル成分を含む第一偏光光束及び第二偏光光束のうち前者を含む第一画像を第一の目に伝達し、後者を含む第二画像を第二の目に伝達するよう動作し、
第一位相差板スタックと、第一偏光軸を有する第一偏光子とを含む第一フィルタと、
第二位相差板スタックと、前記第一偏光軸に実質的に直交する第二偏光軸を有する第二偏光子とを含む第二フィルタと、
を含み、
前記第一位相差板スタック及び前記第二位相差板スタックは、同一の位相差を有する、
アイウェア。
【請求項２６】
前記第一フィルタは、前記第一偏光光束を透過させる通過帯域特性を有し、前記第二フィルタは、前記第二偏光光束を透過させる通過帯域特性を有する、
請求項２５に記載のアイウェア。
【請求項２７】
前記第一フィルタは、前記第二偏光光束をブロックする阻止帯域特性を有し、前記第二フィルタは、前記第一偏光光束をブロックする阻止帯域特性を有する、
請求項２６に記載のアイウェア。
【請求項２８】
前記位相差板スタックは、複屈折ポリマーフィルムを含む、
請求項２５に記載のアイウェア。
【請求項２９】
実質的に互いから分離されたスペクトル成分を含む第一偏光光束及び第二偏光光束のうち前者を含む第一画像を観察者に伝達し、後者を含む第二画像を前記観察者からブロックするよう動作し、
左目側フィルタ及び右目側フィルタを含み、
前記左目側フィルタ及び前記右目側フィルタのそれぞれは、位相差板スタックと、偏光軸を有する単一の偏光素子とを含み、
前記左目側フィルタの位相差板スタック及び前記右目側フィルタの位相差板スタックは、同一の位相差を有し、
前記左目側フィルタの偏光素子の偏光軸は、前記右目側フィルタの偏光素子の偏光軸に平行である、
アイウェア。
【請求項３０】
前記左目側フィルタ及び前記右目側フィルタは、同一の通過帯域特性を有する、
請求項２９に記載のアイウェア。
【請求項３１】
前記第一偏光光束は、
長帯域スペクトル成分の対（Ｒ１、Ｒ２）から選択される第一スペクトル成分と、
中帯域スペクトル成分の対（Ｇ１、Ｇ２）から選択される第二スペクトル成分と、
短帯域スペクトル成分の対（Ｂ１、Ｂ２）から選択される第三スペクトル成分と
を含み、
前記第二偏光光束は、前記第一偏光光束のスペクトル成分として選択されたスペクトル成分に補完的に選択されるスペクトル成分を含む第四スペクトル成分、第五スペクトル成分、及び第六スペクトル成分を含む、
請求項２５または２９に記載のアイウェア。
【請求項３２】
前記Ｒ１のスペクトル成分及び前記Ｒ２のスペクトル成分は、人間の目におけるＬ錐体受容体が反応する波長範囲に実質的に存在し、前記Ｇ１のスペクトル成分及び前記Ｇ２のスペクトル成分は、前記人間の目におけるＭ錐体受容体が反応する波長範囲に実質的に存在し、前記Ｂ１のスペクトル成分及び前記Ｂ２のスペクトル成分は、前記人間の目におけるＳ錐体受容体が反応する波長範囲に実質的に存在する、
請求項３１に記載のアイウェア。
【請求項３３】
各位相差板スタックは、Ｎ（≧２）個の位相差フィルムを含み、各位相差板スタックはＦＩＲフィルタを含むよう設計され、それにより直線偏光光パルス入力に応答して少なくともＮ＋１個の空間的に分離された光パルスを生成し、前記ＦＩＲフィルタは、少なくとも一つの帯域の光を通過させる、
請求項２５または２９に記載のアイウェア。